(57)【要約】【課題】入力された映像の解像度に応じて画面上における映像の表示形態を自動設定することができ、ユーザにとっての取り扱いを便利にして実用に適し得るようにした映像処理装置及び映像処理方法を提供すること。【解決手段】実施の形態によれば、映像処理装置は、入力手段と表示制御手段とを備えている。入力手段は、第１の解像度を有する映像に対応した複数の第１の映像信号を入力するもので、複数の第１の映像信号の少なくとも１つに代えて、第１の解像度よりも大きい第２の解像度を有する映像に対応した第２の映像信号を入力可能とする。表示制御手段は、入力手段に第１の映像信号のみが入力されている場合、その入力された第１の映像信号を第２の解像度に対応した表示画面を分割した領域に表示させるように制御し、入力手段に第２の映像信号が入力された場合、その入力された第２の映像信号を表示画面の全体に表示させるように制御する。【選択図】    図２
2013207769.tif 000002
【特許請求の範囲】
【請求項１】
第１の解像度を有する映像に対応した複数の第１の映像信号を入力するもので、前記複数の第１の映像信号の少なくとも１つに代えて、前記第１の解像度よりも大きい第２の解像度を有する映像に対応した第２の映像信号を入力可能とする入力手段と、
前記入力手段に第１の映像信号のみが入力されている場合、その入力された第１の映像信号を前記第２の解像度に対応した表示画面を分割した領域に表示させるように制御し、前記入力手段に第２の映像信号が入力された場合、その入力された第２の映像信号を前記表示画面の全体に表示させるように制御する表示制御手段とを具備する映像処理装置。
【請求項２】
前記入力手段に第２の映像信号が入力された場合、前記表示制御手段を、その入力された第２の映像信号を前記表示画面の全体に表示させる表示形態とそれ以外の表示形態とに選択的に設定するための設定手段を具備する請求項１記載の映像処理装置。
【請求項３】
前記表示制御手段は、前記設定手段によって前記第２の映像信号を前記表示画面の全体に表示させる表示形態以外の表示形態に設定された場合、前記第２の映像信号をスケールダウンして、前記第２の映像信号に代えられた前記第１の映像信号に対応する、前記表示画面を分割した領域に表示させるように制御することと、前記第２の映像信号に代えられた前記第１の映像信号に対応する、前記表示画面を分割した領域に黒画面を表示させるように制御することとのいずれかを行なう請求項２記載の映像処理装置。
【請求項４】
前記表示制御手段は、前記表示画面を分割した各領域のうち前記第１の映像信号が入力されていない領域に黒画面を表示させるように制御する請求項１記載の映像処理装置。
【請求項５】
前記第１の解像度はＦＨＤであり、前記第２の解像度はＱＦＨＤであり、前記入力手段はＨＤＭＩ規格に準拠した形態で前記第１及び第２の映像信号を入力する請求項１記載の映像処理装置。
【請求項６】
前記入力手段に第２の映像信号が入力された場合、その入力された第２の映像信号に対応する音声を再生する音声再生手段を具備する請求項１記載の映像処理装置。
【請求項７】
前記音声再生手段は、前記入力手段に複数の第１の映像信号が入力されている場合、操作によって選択された第１の映像信号に対応する音声を再生することと、予め設定された優先順位に基づいて第１の映像信号に対応する音声を再生することとのいずれかを行なう請求項６記載の映像処理装置。
【請求項８】
第１の解像度を有する映像に対応した複数の第１の映像信号を入力し、
前記複数の第１の映像信号の少なくとも１つに代えて、前記第１の解像度よりも大きい第２の解像度を有する映像に対応した第２の映像信号を入力し、
前記第１の映像信号のみが入力されている場合、その入力された第１の映像信号を前記第２の解像度に対応した表示画面を分割した領域に表示させるように制御し、
前記第２の映像信号が入力された場合、その入力された第２の映像信号を前記表示画面の全体に表示させるように制御する映像処理方法。
【発明の詳細な説明】
【技術分野】
【０００１】
この発明の実施の形態は、例えばデジタルテレビジョン放送受信装置等のような映像処理装置及び映像処理方法に関する。
【背景技術】
【０００２】
周知のように、現在、家庭用として普及しているデジタルテレビジョン放送受信装置等にあっては、水平方向が１９２０画素で垂直方向が１０８０画素の画素数を備えた、いわゆる、ＦＨＤ（full high definition）と称される解像度を有する映像表示パネルを搭載したものが主流になっている。
【０００３】
また、現在では、Ｑ（quad）ＦＨＤと称される、水平方向が３８４０画素で垂直方向が２１６０画素の画素数を備えた、ＦＨＤの４倍の解像度を有する映像表示パネルも開発されている。そして、このＱＦＨＤ対応の映像表示パネルには、その表示画面を田の字型に４分割した各領域それぞれに、ＦＨＤ対応の映像を表示することができる。
【０００４】
このため、ＱＦＨＤ対応の映像表示パネルにおいては、その全表示画面を利用して１枚のＱＦＨＤ対応の映像を表示するという使用形態だけでなく、その全表示画面に最大で４枚までのＦＨＤ対応の映像をマルチ画面表示するという使用形態を、選択的にとることが可能となっている。
【０００５】
しかしながら、ＱＦＨＤ対応の映像表示パネルを用いて、ＱＦＨＤ対応の映像やＦＨＤ対応の映像を選択的に表示しようとする技術は、まだまだ開発途上にある段階であって、ユーザにとっての取り扱いがより便利になるようにして実用に適するように、細部に亘っての開発が強く要望されている。
【先行技術文献】
【特許文献】
【０００６】
【特許文献１】特開２０１１−０９０２１１号公報
【特許文献２】特開２０１０−１６６３３７号公報
【発明の概要】
【発明が解決しようとする課題】
【０００７】
入力された映像の解像度に応じて画面上における映像の表示形態を自動設定することができ、ユーザにとっての取り扱いを便利にして実用に適し得るようにした映像処理装置及び映像処理方法を提供することを目的とする。
【課題を解決するための手段】
【０００８】
実施の形態によれば、映像処理装置は、入力手段と表示制御手段とを備える。入力手段は、第１の解像度を有する映像に対応した複数の第１の映像信号を入力するもので、複数の第１の映像信号の少なくとも１つに代えて、第１の解像度よりも大きい第２の解像度を有する映像に対応した第２の映像信号を入力可能とする。表示制御手段は、入力手段に第１の映像信号のみが入力されている場合、その入力された第１の映像信号を第２の解像度に対応した表示画面を分割した領域に表示させるように制御し、入力手段に第２の映像信号が入力された場合、その入力された第２の映像信号を表示画面の全体に表示させるように制御する。
【図面の簡単な説明】
【０００９】
【図１】実施の形態としてのデジタルテレビジョン放送受信装置とソース機器との相互間のＨＤＭＩ規格による信号伝送の一例を説明するために示すブロック構成図。
【図２】同実施の形態におけるデジタルテレビジョン放送受信装置の信号処理系の一例を概略的に説明するために示すブロック構成図。
【図３】同実施の形態におけるデジタルテレビジョン放送受信装置に使用されるリモートコントローラの一例を説明するために示す外観図。
【図４】同実施の形態におけるデジタルテレビジョン放送受信装置が備える選択制御部の一例を説明するために示すブロック構成図。
【図５】同実施の形態におけるデジタルテレビジョン放送受信装置が備える映像表示パネルの解像度の一例を説明するために示す図。
【図６】同実施の形態におけるデジタルテレビジョン放送受信装置が表示する映像表示形態の一例を説明するために示す図。
【図７】同実施の形態におけるデジタルテレビジョン放送受信装置が表示する映像表示形態の他の例を説明するために示す図。
【図８】同実施の形態におけるデジタルテレビジョン放送受信装置が表示する映像表示形態のさらに他の例を説明するために示す図。
【図９】同実施の形態におけるデジタルテレビジョン放送受信装置が表示する映像表示形態のさらに他の例を説明するために示す図。
【図１０】同実施の形態におけるデジタルテレビジョン放送受信装置が表示する映像表示形態のさらに他の例を説明するために示す図。
【図１１】同実施の形態におけるデジタルテレビジョン放送受信装置が行なう主要な処理動作の一例を説明するために示すフローチャート。
【図１２】同実施の形態におけるデジタルテレビジョン放送受信装置が表示する表示形態設定画面の一例を説明するために示す図。
【図１３】同実施の形態におけるデジタルテレビジョン放送受信装置が行なう主要な処理動作の他の例を説明するために示すフローチャート。
【図１４】同実施の形態におけるデジタルテレビジョン放送受信装置が表示する優先順位選択画面及び優先順位設定画面の一例を説明するために示す図。
【図１５】同実施の形態におけるデジタルテレビジョン放送受信装置が行なう主要な処理動作のさらに他の例を説明するために示すフローチャート。
【図１６】同実施の形態におけるデジタルテレビジョン放送受信装置が表示する表示形態確認画面の一例を説明するために示す図。
【発明を実施するための形態】
【００１０】
以下、実施の形態について図面を参照して詳細に説明する。図１において、符号１１はデジタルテレビジョン放送受信装置１１であり、デジタルテレビジョン放送を受信して映像表示や音声再生を行なうことができる。なお、このデジタルテレビジョン放送受信装置１１は、ＱＦＨＤの解像度に対応した映像表示パネルを備えているものとする。
【００１１】
また、このデジタルテレビジョン放送受信装置１１には、複数（図示の場合は４つ）のソース機器１２，１３，１４，１５が、それぞれ、ＨＤＭＩ（high definition multimedia interface）ケーブル１６，１７，１８，１９により、ＨＤＭＩ１．４ａ規格に準拠した方式での信号伝送が可能となるように接続されている。
【００１２】
このため、デジタルテレビジョン放送受信装置１１は、各種のソース機器１２乃至１５から得られる映像や音声の情報を取得して、映像表示や音声再生を行なうことができる。この場合、ソース機器１２乃至１５としては、例えば光ディスク記録再生機器、ビデオカメラ、ＰＣ（personal computer）等が想定される。
【００１３】
ここで、上記デジタルテレビジョン放送受信装置１１は、ソース機器１２の接続されている入出力ポートが、ＱＦＨＤの解像度に対応した映像信号とＦＨＤの解像度に対応した映像信号とを選択的に入力する機能を備えており、他のソース機器１３乃至１５の接続されている入出力ポートが、ＦＨＤの解像度に対応した映像信号を入力する機能を備えているものとする。
【００１４】
そして、このデジタルテレビジョン放送受信装置１１は、詳細は後述するが、１または複数のいずれかのソース機器１２乃至１５からＦＨＤ対応の映像信号だけが供給された場合、そのソース機器１２乃至１５から得られるＦＨＤ対応の映像を、映像表示パネルにマルチ画面表示させるように機能する。
【００１５】
また、このテレビジョン放送受信装置１１は、ソース機器１２からＱＦＨＤ対応の映像信号が供給された場合、他のソース機器１３乃至１５から得られるＦＨＤ対応の映像信号に無関係に、ソース機器１２から得られるＱＦＨＤ対応の映像を、映像表示パネルに全画面表示させるように機能する。
【００１６】
このように、各ソース機器１２乃至１５からＦＨＤ対応の映像信号だけが供給された場合に、各映像をマルチ画面表示し、ソース機器１２からＱＦＨＤ対応の映像信号が供給された場合に、その映像を全画面表示するというように、入力された映像の解像度に応じて映像表示形態を自動設定することにより、ユーザにとっての取り扱いを便利にして実用に適し得るようにすることができる。
【００１７】
図２は、上記デジタルテレビジョン放送受信装置１１の信号処理系を概略的に示している。すなわち、アンテナ２０で受信したデジタルテレビジョン放送信号は、入力端子２１を介してチューナ部２２に供給されることにより、所望のチャンネルの放送信号が選局される。このチューナ部２２で選局された放送信号は、復調復号部２３に供給されてデジタルの映像信号及び音声信号等に復元された後、信号処理部２４に出力される。
【００１８】
この信号処理部２４は、復調復号部２３から供給されたデジタルの映像信号及び音声信号に対してそれぞれ所定のデジタル信号処理を施している。そして、この信号処理部２４は、デジタルの映像信号を合成処理部２５に出力し、デジタルの音声信号を音声処理部２６に出力している。
【００１９】
このうち、合成処理部２５は、信号処理部２４から供給されるデジタルの映像信号に、ＯＳＤ（on screen display）信号を重畳して出力している。この合成処理部２５から出力されたデジタルの映像信号は、映像処理部２７に供給されて、ＱＦＨＤ対応の映像表示パネル２８で表示可能なフォーマットのアナログ映像信号に変換された後、上記映像表示パネル２８に供給されて映像表示に供される。
【００２０】
また、上記音声処理部２６は、入力されたデジタルの音声信号を、後段のスピーカ２９で再生可能なフォーマットのアナログ音声信号に変換している。そして、この音声処理部２６から出力されたアナログ音声信号が、上記スピーカ２９に供給されることにより音声再生に供される。
【００２１】
ここで、このデジタルテレビジョン放送受信装置１１は、上記した各種の受信動作を含む種々の動作を制御部３０によって統括的に制御されている。この制御部３０は、ＣＰＵ（central processing unit）３０ａを内蔵しており、デジタルテレビジョン放送受信装置１１の本体に設けられた操作部３１からの操作情報、または、リモートコントローラ３２から送信され受光部３３で受信された操作情報を受けることによって、その操作内容が反映されるように各部をそれぞれ制御している。
【００２２】
この場合、制御部３０は、メモリ部３０ｂを利用している。このメモリ部３０ｂは、主として、ＣＰＵ３０ａが実行する制御プログラムを格納したＲＯＭ（read only memory）と、該ＣＰＵ３０ａに作業エリアを提供するためのＲＡＭ（random access memory）と、各種の設定情報及び制御情報等が格納される不揮発性メモリとを有している。
【００２３】
また、この制御部３０には、ＨＤＤ（hard disk drive）３４が接続されている。この制御部３０は、ユーザによる操作部３１やリモートコントローラ３２の操作に基づいて、上記信号処理部２４から得られるデジタルの映像信号及び音声信号をＨＤＤ３４に供給し、暗号化して所定の記録フォーマットに変換した後、ハードディスク３４ａに記録させるように制御することができる。
【００２４】
さらに、この制御部３０は、ユーザによる操作部３１やリモートコントローラ３２の操作に基づいて、ＨＤＤ３４によりハードディスク３４ａからデジタルの映像信号及び音声信号を読み出させて復号化した後、信号処理部２４に供給することによって、以後、上記した映像表示及び音声再生に供させるように制御することができる。
【００２５】
また、この制御部３０には、ネットワークインターフェース３５が接続されている。このネットワークインターフェース３５は、外部のネットワーク回線網３６に接続されている。そして、このネットワーク回線網３６には、当該ネットワーク回線網３６を介した通信機能を利用して各種のサービスを提供するためのネットワークサーバ３７が接続されている。
【００２６】
このため、制御部３０は、ユーザによる操作部３１やリモートコントローラ３２の操作に基づき、ネットワークインターフェース３５及びネットワーク回線網３６を介して、ネットワークサーバ３７にアクセスして情報通信を行なうことにより、そこで提供しているサービスを利用することができるようになっている。
【００２７】
また、上記制御部３０には、選択制御部３８が接続されている。そして、この選択制御部３８は、入出力ポート３９，４０，４１，４２に接続されている。これらの入出力ポート３９乃至４２には、上記ソース機器１２乃至１５がＨＤＭＩケーブル１６乃至１９を介して接続されている。
【００２８】
この選択制御部３８は、ユーザによる操作部３１やリモートコントローラ３２の操作に基づく制御部３０の制御に応じて、入出力ポート３９乃至４２に供給されたソース機器１２乃至１５からの映像や音声の信号を、選択的に信号処理部２４に供給するように機能している。
【００２９】
具体的に言えば、選択制御部３８は、１または複数のいずれかの入出力ポート３９乃至４２にＦＨＤ対応の映像信号だけが供給された場合、その入出力ポート３９乃至４２に供給されたＦＨＤ対応の映像信号を信号処理部２４に導出するように機能する。このようにすることより、ＦＨＤ対応の映像信号が、合成処理部２５及び映像処理部２７による処理を経た後、映像表示パネル２８でマルチ画面表示されることになる。
【００３０】
また、この選択制御部３８は、入出力ポート３９にＱＦＨＤ対応の映像信号が供給された場合、その入出力ポート３９に供給されたＱＦＨＤ対応の映像信号を、信号処理部２４に導出するように機能する。このようにすることにより、ＱＦＨＤ対応の映像信号が、合成処理部２５及び映像処理部２７による処理を経た後、映像表示パネル２８で全画面表示されることになる。
【００３１】
図３は、上記リモートコントローラ３２の外観を示している。このリモートコントローラ３２には、主として、電源キー３２ａ、数字キー３２ｂ、チャンネルアップダウンキー３２ｃ、音量調整キー３２ｄ、カーソル上移動キー３２ｅ、カーソル下移動キー３２ｆ、カーソル左移動キー３２ｇ、カーソル右移動キー３２ｈ、決定キー３２ｉ、メニューキー３２ｊ、戻るキー３２ｋ、終了キー３２ｌ、４色（青，赤，緑，黄）のカラーキー３２ｍ等が設けられている。
【００３２】
また、このリモートコントローラ３２には、再生停止キー３２ｎ、再生／一時停止キー３２ｏ、逆方向スキップキー３２ｐ、順方向スキップキー３２ｑ、早戻しキー３２ｒ、早送りキー３２ｓ等が設けられている。すなわち、上記ＨＤＤ３４に対しては、リモートコントローラ３２の再生停止キー３２ｎや再生／一時停止キー３２ｏを操作することによって、再生、停止、一時停止を行なうことが可能となる。
【００３３】
また、リモートコントローラ３２の逆方向スキップキー３２ｐや順方向スキップキー３２ｑを操作することによって、ＨＤＤ３４でハードディスク３４ａから読み取っている映像や音声等のデータを、その再生方向に対して逆方向や順方向に一定量ずつスキップさせる、いわゆる、逆方向スキップや順方向スキップを行なうことができる。
【００３４】
さらに、リモートコントローラ３２の早戻しキー３２ｒや早送りキー３２ｓ等を操作することにより、ＨＤＤ３４でハードディスク３４ａから読み取っている映像や音声等のデータを、その再生方向に対して逆方向や順方向に連続的に高速で再生させる、いわゆる、早戻し再生や早送り再生を行なうことができる。
【００３５】
図４は、上記選択制御部３８の一例を示している。すなわち、上記ソース機器１２から出力されＨＤＭＩケーブル１６を介して入出力ポート３９に供給された映像及び音声の信号は、ＨＤＭＩ通信部４３に受信される。このＨＤＭＩ通信部４３は、ＦＨＤ以下の解像度を有する映像信号の他に、ＱＦＨＤの解像度を有する映像信号を受信する機能を有するとともに、このような受信機能を有する旨をソース機器１２からの問い合わせに対してＥＤＩＤ（extended display identification data）情報で返信する機能を有している。
【００３６】
また、他のソース機器１３乃至１５から出力されＨＤＭＩケーブル１７乃至１９を介して入出力ポート４０乃至４２に供給された映像及び音声の信号は、それぞれ対応的にＨＤＭＩ通信部４４，４５，４６に受信される。これらのＨＤＭＩ通信部４４乃至４６は、それぞれが、ＦＨＤ以下の解像度を有する映像信号を受信する機能を有するとともに、このような受信機能を有する旨をソース機器１３乃至１５からの問い合わせに対してＥＤＩＤ情報で返信する機能を有している。
【００３７】
そして、各ＨＤＭＩ通信部４３乃至４６に供給された信号は、音声セレクタ４７に供給されるとともに、それぞれ対応的に映像信号処理部４８，４９，５０，５１に供給される。このうち、音声セレクタ４７は、入力された各信号からそれぞれ音声信号を取り出し、上記制御部３０の制御に基づいて１つの音声信号を選択する。そして、この音声セレクタ４７で選択された音声信号は、出力端子５２から出力され、制御部３０を介して上記信号処理部２４に供給されることによって音声再生に供される。
【００３８】
また、上記映像信号処理部４８乃至５１は、それぞれが入力された信号から映像信号を取り出して映像セレクタ５３に供給している。この映像セレクタ５３は、入力された各映像信号から、上記制御部３０の制御に基づいて１または複数のいずれかの映像信号を選択する。そして、この映像セレクタ５３で選択された映像信号は、出力端子５４から出力され、制御部３０を介して上記信号処理部２４に供給されることによって映像表示に供される。
【００３９】
上記のような構成となされたデジタルテレビジョン放送受信装置１１において、以下、その制御部３０が、各ソース機器１２乃至１５の出力に基づいて映像表示及び音声再生を行なうように制御する際の主要な動作について説明する。まず、先に述べたように、デジタルテレビジョン放送受信装置１１の映像表示パネル２８は、ＱＦＨＤの解像度に対応している。
【００４０】
すなわち、この映像表示パネル２８は、図５に示すように、水平方向が３８４０画素で垂直方向が２１６０画素でなる表示画面を備えている。これにより、このＱＦＨＤ対応の映像表示パネル２８には、その表示画面を田の字型に４分割した各領域Ａ，Ｂ，Ｃ，Ｄそれぞれに、ＦＨＤ対応の映像（水平方向が１９２０画素で垂直方向が１０８０画素）をマルチ画面表示することができる。
【００４１】
このため、例えば、全てのソース機器１２乃至１５からそれぞれＦＨＤ対応の映像信号が出力された場合、制御部３０は、図６に示すように、各ソース機器１２乃至１５から得られたＦＨＤ対応の映像を、映像表示パネル２８の表示画面を田の字型に４分割した各領域Ａ乃至Ｄにそれぞれ対応的に割り振ってマルチ画面表示させるように制御する。
【００４２】
また、１つのソース機器１２からのみＦＨＤ対応の映像信号が出力された場合、制御部３０は、図７（ａ）に示すように、ソース機器１２から得られたＦＨＤ対応の映像を、映像表示パネル２８の表示画面を田の字型に４分割した各領域Ａ乃至Ｄのうちの領域Ａに割り振って画面表示させるように制御する。
【００４３】
同様に、他の１つのソース機器１３からのみＦＨＤ対応の映像信号が出力された場合、制御部３０は、図７（ｂ）に示すように、ソース機器１３から得られたＦＨＤ対応の映像を、映像表示パネル２８の表示画面を田の字型に４分割した各領域Ａ乃至Ｄのうちの領域Ｂに割り振って画面表示させるように制御する。
【００４４】
同様に、他の１つのソース機器１４からのみＦＨＤ対応の映像信号が出力された場合、制御部３０は、図７（ｃ）に示すように、ソース機器１４から得られたＦＨＤ対応の映像を、映像表示パネル２８の表示画面を田の字型に４分割した各領域Ａ乃至Ｄのうちの領域Ｃに割り振って画面表示させるように制御する。
【００４５】
同様に、他の１つのソース機器１５からのみＦＨＤ対応の映像信号が出力された場合、制御部３０は、図７（ｄ）に示すように、ソース機器１５から得られたＦＨＤ対応の映像を、映像表示パネル２８の表示画面を田の字型に４分割した各領域Ａ乃至Ｄのうちの領域Ｄに割り振って画面表示させるように制御する。
【００４６】
また、２つのソース機器１２，１３からのみＦＨＤ対応の映像信号が出力された場合、制御部３０は、図８（ａ）に示すように、ソース機器１２，１３から得られたＦＨＤ対応の映像を、映像表示パネル２８の表示画面を田の字型に４分割した各領域Ａ乃至Ｄのうちの領域Ａ，Ｂに割り振ってマルチ画面表示させるように制御する。
【００４７】
同様に、他の２つのソース機器１４，１５からのみＦＨＤ対応の映像信号が出力された場合、制御部３０は、図８（ｂ）に示すように、ソース機器１４，１５から得られたＦＨＤ対応の映像を、映像表示パネル２８の表示画面を田の字型に４分割した各領域Ａ乃至Ｄのうちの領域Ｃ，Ｄに割り振ってマルチ画面表示させるように制御する。
【００４８】
同様に、他の２つのソース機器１２，１４からのみＦＨＤ対応の映像信号が出力された場合、制御部３０は、図８（ｃ）に示すように、ソース機器１２，１４から得られたＦＨＤ対応の映像を、映像表示パネル２８の表示画面を田の字型に４分割した各領域Ａ乃至Ｄのうちの領域Ａ，Ｃに割り振ってマルチ画面表示させるように制御する。
【００４９】
同様に、他の２つのソース機器１３，１５からのみＦＨＤ対応の映像信号が出力された場合、制御部３０は、図８（ｄ）に示すように、ソース機器１３，１５から得られたＦＨＤ対応の映像を、映像表示パネル２８の表示画面を田の字型に４分割した各領域Ａ乃至Ｄのうちの領域Ｂ，Ｄに割り振ってマルチ画面表示させるように制御する。
【００５０】
同様に、他の２つのソース機器１２，１５からのみＦＨＤ対応の映像信号が出力された場合、制御部３０は、図８（ｅ）に示すように、ソース機器１２，１５から得られたＦＨＤ対応の映像を、映像表示パネル２８の表示画面を田の字型に４分割した各領域Ａ乃至Ｄのうちの領域Ａ，Ｄに割り振ってマルチ画面表示させるように制御する。
【００５１】
同様に、他の２つのソース機器１３，１４からのみＦＨＤ対応の映像信号が出力された場合、制御部３０は、図８（ｆ）に示すように、ソース機器１３，１４から得られたＦＨＤ対応の映像を、映像表示パネル２８の表示画面を田の字型に４分割した各領域Ａ乃至Ｄのうちの領域Ｂ，Ｃに割り振ってマルチ画面表示させるように制御する。
【００５２】
また、３つのソース機器１２，１３，１４からのみＦＨＤ対応の映像信号が出力された場合、制御部３０は、図９（ａ）に示すように、ソース機器１２，１３，１４から得られたＦＨＤ対応の映像を、映像表示パネル２８の表示画面を田の字型に４分割した各領域Ａ乃至Ｄのうちの領域Ａ，Ｂ，Ｃに割り振ってマルチ画面表示させるように制御する。
【００５３】
同様に、３つのソース機器１２，１３，１５からのみＦＨＤ対応の映像信号が出力された場合、制御部３０は、図９（ｂ）に示すように、ソース機器１２，１３，１５から得られたＦＨＤ対応の映像を、映像表示パネル２８の表示画面を田の字型に４分割した各領域Ａ乃至Ｄのうちの領域Ａ，Ｂ，Ｄに割り振ってマルチ画面表示させるように制御する。
【００５４】
同様に、３つのソース機器１２，１４，１５からのみＦＨＤ対応の映像信号が出力された場合、制御部３０は、図９（ｃ）に示すように、ソース機器１２，１４，１５から得られたＦＨＤ対応の映像を、映像表示パネル２８の表示画面を田の字型に４分割した各領域Ａ乃至Ｄのうちの領域Ａ，Ｃ，Ｄに割り振ってマルチ画面表示させるように制御する。
【００５５】
同様に、３つのソース機器１３，１４，１５からのみＦＨＤ対応の映像信号が出力された場合、制御部３０は、図９（ｄ）に示すように、ソース機器１３，１４，１５から得られたＦＨＤ対応の映像を、映像表示パネル２８の表示画面を田の字型に４分割した各領域Ａ乃至Ｄのうちの領域Ｂ，Ｃ，Ｄに割り振ってマルチ画面表示させるように制御する。
【００５６】
また、ソース機器１２からＱＦＨＤ対応の映像信号が供給された場合、制御部３０は、図１０に示すように、他のソース機器１３乃至１５からのＦＨＤ対応の映像信号の有無に無関係に、ソース機器１２から得られるＱＦＨＤ対応の映像を、映像表示パネル２８に全画面表示させるように制御する。
【００５７】
なお、図７乃至図９に示したいずれかの表示形態、つまり、映像表示パネル２８の表示画面を田の字型に４分割した各領域Ａ乃至Ｄのうちの１乃至３つの領域に映像表示が行なわれている表示形態では、映像が表示されていない領域、つまり、ソース機器１２乃至１５からＦＨＤ対応の映像信号が供給されていない領域に黒画面を表示させるようにすることにより、ユーザが映像の供給されていない領域であることを明確に識別することができるので、ユーザにとっての取り扱いを便利にして実用に適するものとなる。
【００５８】
上記した制御部３０の動作をまとめると、１または複数のソース機器１２乃至１５からＦＨＤ対応の映像信号だけが供給された場合には、図６乃至図９に示したように、その映像を映像表示パネル２８の分割された表示領域に表示する。また、ソース機器１２からＱＦＨＤ対応の映像信号が供給された場合には、図１０に示したように、他のソース機器１３乃至１５からの映像に無関係に、そのＱＦＨＤ対応の映像を映像表示パネル２８に全画面表示している。
【００５９】
すなわち、制御部３０は、図６乃至図９に示したいずれかの映像表示が行なわれている状態で、ソース機器１２からＱＦＨＤ対応の映像信号が供給された場合、図１０に示したように、ＱＦＨＤ対応の映像を映像表示パネル２８に全画面表示させるように制御する。また、逆に、図１０に示したＱＦＨＤ対応の映像表示が行なわれている状態で、ソース機器１２からＱＦＨＤ対応の映像信号の供給が停止された場合には、図６乃至図９に示したように、そのとき供給されている１または複数のＦＨＤ対応の映像を映像表示パネル２８に表示させるように制御する。
【００６０】
この場合、制御部３０は、ＨＤＭＩ通信部４３に供給された映像信号から、そこに含まれている解像度を示す情報を読み取ることにより、ソース機器１２からＱＦＨＤ対応の映像信号が供給されているか否かを判別して、映像表示形態を自動的に切り替えるように制御している。
【００６１】
図１１は、上記したように映像表示形態を切り替える制御部３０の処理動作の一例をまとめたフローチャートを示している。すなわち、処理が開始（ステップＳ１１ａ）されると、制御部３０は、ステップＳ１１ｂで、ＨＤＭＩ通信部４３にＱＦＨＤ対応の映像信号が供給されているか否かを判別する。
【００６２】
そして、供給されていないと判断された場合（ＮＯ）、制御部３０は、ステップＳ１１ｃで、現在、各ＨＤＭＩ通信部４３乃至４６に供給されている１または複数のＦＨＤ対応の映像を、映像表示パネル２８の分割された表示領域に表示させるように制御して、処理を終了（ステップＳ１１ｅ）する。
【００６３】
また、上記ステップＳ１１ｂでＱＦＨＤ対応の映像信号が供給されていると判断された場合（ＹＥＳ）、制御部３０は、ステップＳ１１ｄで、ＨＤＭＩ通信部４３に供給されているＱＦＨＤ対応の映像を、映像表示パネル２８に全画面表示させるように制御して、処理を終了（ステップＳ１１ｅ）する。
【００６４】
上記した実施の形態によれば、入力された映像の解像度に応じて映像表示パネル２８上における映像の表示形態を自動設定するようにしたので、ユーザにとっての取り扱いを便利にして実用に適し得るようにすることができる。
【００６５】
また、選択制御部３８のＨＤＭＩ通信部４３にＱＦＨＤの解像度を有する映像信号を受信する機能を持たせることにより、マルチ画面表示を行なうためのＦＨＤ対応の映像信号が供給される入出力ポート３９乃至４２のうちの１つの入出力ポート３９に、ＱＦＨＤ対応の映像信号を入力することを可能としている。
【００６６】
このため、ＦＨＤ対応の映像信号が供給される入出力ポート３９乃至４２の他に、ＱＦＨＤ対応の映像信号を入力するための別ポートを設置する必要がなくなり、構成上有利となる。
【００６７】
また、上記した実施の形態では、入出力ポート３９乃至４２のうちの１つの入出力ポート３９に、入出力ポート４０乃至４２に供給される映像信号と解像度の異なる映像信号を供給可能とするようにしたが、これに限らず、入出力ポート３９乃至４２のうちの１つの入出力ポート３９に、入出力ポート４０乃至４２に供給される映像信号と解像度及び周波数帯域の異なる映像信号を供給可能とするようにしても良いことはもちろんである。
【００６８】
さらに、上記した実施の形態では、ＱＦＨＤ対応の映像表示パネル２８上に、ＱＦＨＤ対応の映像を全画面表示させる場合と、ＦＨＤ対応の映像をマルチ画面表示させる場合とにおいて、映像表示形態を自動設定することについて説明したが、これに限ることなく、例えば、ＦＨＤ対応の映像を水平方向に３枚、垂直方向に３枚表示可能な解像度を持つ映像表示パネル２８に、ＦＨＤ対応の映像をマルチ画面表示させる場合と、当該映像表示パネル２８に１枚の映像を全画面表示する場合とにおいても、映像表示パネル２８上における映像表示形態を、上記した実施の形態と同様に自動設定することが可能であることは言うまでもないことである。
【００６９】
次に、上記した実施の形態の変形例について説明する。すなわち、上記した実施の形態では、ＱＦＨＤ対応の映像信号が供給された場合に、そのＱＦＨＤ対応の映像を自動的に全画面表示させるようにしたが、これに限らず、ユーザがＱＦＨＤ対応の映像の表示形態を選択することができるようにしても良いものである。
【００７０】
このＱＦＨＤ対応の映像に対する表示形態の選択は、ユーザがリモートコントローラ３２のメニューキー３２ｊを操作して、階層構造となされた複数種類のメニュー画面に分け入ることにより、図１２に一例を示すような表示形態設定画面５５を、映像表示パネル２８に表示させることにより実現される。
【００７１】
この表示形態設定画面５５には、「ＱＦＨＤ優先」、「スケールダウン」及び「黒画面表示」なる３つの項目が表示されており、ユーザがリモートコントローラ３２のカーソル上または下移動キー３２ｅ，３２ｆを操作して所望の項目を選択し、決定キー３２ｉを操作することで、その項目の表示形態を設定することができる。
【００７２】
ここで、「ＱＦＨＤ優先」なる項目が設定された場合には、制御部３０は、上記したように、ＱＦＨＤ対応の映像信号が供給された場合に、そのＱＦＨＤ対応の映像を優先して映像表示パネル２８に全画面表示させるという表示形態を実現するように制御する。
【００７３】
また、「スケールダウン」なる項目が設定された場合には、制御部３０は、ＱＦＨＤ対応の映像信号が供給された場合に、そのＱＦＨＤ対応の映像をスケールダウンさせて、映像表示パネル２８の分割された領域Ａに表示させるという表示形態を実現するように制御する。
【００７４】
さらに、「黒画面表示」なる項目が設定された場合には、制御部３０は、ＱＦＨＤ対応の映像信号が供給された場合に、映像表示パネル２８の分割された領域Ａに黒画面を表示させて、ＱＦＨＤ対応の映像を非表示にするという表示形態を実現するように制御する。
【００７５】
図１３は、上記のようにＱＦＨＤ対応の映像信号が供給された場合の映像表示形態を、ユーザが選択可能としたときの制御部３０の処理動作の一例をまとめたフローチャートを示している。すなわち、処理が開始（ステップＳ１３ａ）されると、制御部３０は、ステップＳ１３ｂで、ＨＤＭＩ通信部４３にＱＦＨＤ対応の映像信号が供給されているか否かを判別する。
【００７６】
そして、供給されていないと判断された場合（ＮＯ）、制御部３０は、ステップＳ１３ｃで、現在、各ＨＤＭＩ通信部４３乃至４６に供給されている１または複数のＦＨＤ対応の映像を、映像表示パネル２８の分割された表示領域に表示させるように制御して、処理を終了（ステップＳ１３ｉ）する。
【００７７】
また、上記ステップＳ１３ｂでＱＦＨＤ対応の映像信号が供給されていると判断された場合（ＹＥＳ）、制御部３０は、ステップＳ１３ｄで、表示形態が「ＱＦＨＤ優先」に設定されているか否かを判別する。そして、設定されていると判断された場合（ＹＥＳ）、ステップＳ１３ｅで、ＨＤＭＩ通信部４３に供給されているＱＦＨＤ対応の映像を、映像表示パネル２８に全画面表示させるように制御して、処理を終了（ステップＳ１３ｉ）する。
【００７８】
さらに、上記ステップＳ１３ｄで「ＱＦＨＤ優先」に設定されていないと判断された場合（ＮＯ）、制御部３０は、ステップＳ１３ｆで、表示形態が「スケールダウン」に設定されているか否かを判別する。そして、設定されていると判断された場合（ＹＥＳ）、ステップＳ１３ｇで、ＨＤＭＩ通信部４３に供給されているＱＦＨＤ対応の映像をスケールダウンさせて、映像表示パネル２８の分割された領域Ａに表示させるように制御して、処理を終了（ステップＳ１３ｉ）する。
【００７９】
また、上記ステップＳ１３ｆで「スケールダウン」に設定されていないと判断された場合（ＮＯ）、制御部３０は、ステップＳ１３ｈで、映像表示パネル２８の分割された領域Ａに黒画面を表示させて、ＱＦＨＤ対応の映像を非表示にするように制御して、処理を終了（ステップＳ１３ｉ）する。
【００８０】
上記のように、ＱＦＨＤ対応の映像の表示形態をユーザが選択可能とすることにより、ユーザにとっての取り扱いをより一層便利にして実用に適するものとなる。
【００８１】
次に、音声再生について説明する。すなわち、先に図７に示したように、ソース機器１２乃至１５のうちの１つからのみＦＨＤ対応の映像信号が出力され、映像表示パネル２８の各領域Ａ乃至Ｄのうちの１つにのみ画面表示が行なわれている場合、制御部３０は、表示されている１つの映像に対応する音声再生が行なわれるように制御する。
【００８２】
また、先に図１０に示したように、ソース機器１２からＱＦＨＤ対応の映像信号が出力され、映像表示パネル２８に全画面表示が行なわれている場合にも、制御部３０は、表示されている１つの映像に対応する音声再生が行なわれるように制御する。
【００８３】
さらに、図６，図８及び図９に示したように、ソース機器１２乃至１５のうちの複数からＦＨＤ対応の映像信号が出力され、映像表示パネル２８の各領域Ａ乃至Ｄのうちの複数にマルチ画面表示が行なわれている場合、制御部３０は、表示されている複数の映像のうちのいずれか１つに対応する音声再生が行なわれるように制御する。
【００８４】
このように複数の映像が表示された場合に再生する音声としては、例えば、ユーザの操作により所望の映像に対応する音声を直接選択する手法、各領域Ａ乃至Ｄに予め優先順位を付しておき、優先度の高い領域に表示された映像に対応する音声を自動的に選択する手法、各領域Ａ乃至Ｄに付す優先順位をユーザが設定する手法、各領域Ａ乃至Ｄに付す優先順位を過去の聴取履歴に基づいて設定する手法等によって得ることができる。
【００８５】
このうち、ユーザが操作により音声を直接選択する手法は、例えば、映像表示パネル２８にマルチ画面表示がなされている状態で、ユーザがリモートコントローラ３２の黄色のカラーキー３２ｍを操作すると、操作する毎に、領域Ａ，Ｂ，Ｃ，Ｄの順序で表示された映像に対応する音声に切り替えられるというものである。
【００８６】
また、その他の３つの手法は、ユーザが選択することができる。この選択は、ユーザがリモートコントローラ３２のメニューキー３２ｊを操作して、階層構造となされた複数種類のメニュー画面に分け入ることにより、図１４（ａ）に一例を示すような優先順位選択画面５６を、映像表示パネル２８に表示させることにより実現される。
【００８７】
この優先順位選択画面５６には、「規定値」、「ユーザ設定」及び「視聴履歴」なる３つの項目が表示されており、ユーザがリモートコントローラ３２のカーソル上または下移動キー３２ｅ，３２ｆを操作して所望の項目を選択し、決定キー３２ｉを操作することで、その項目を設定することができる。
【００８８】
ここで、「規定値」なる項目が設定された場合には、制御部３０は、各領域Ａ乃至Ｄに予め設定されている優先順位に基づき、優先度の高い領域に表示された映像に対応する音声を自動的に選択するように制御する。
【００８９】
また、「ユーザ設定」なる項目が設定された場合には、制御部３０は、図１４（ｂ）に一例を示すような優先順位設定画面５７を、映像表示パネル２８に表示させる。この優先順位設定画面５７には、各領域Ａ，Ｂ，Ｃ，Ｄに対応して優先順位を入力する欄が表示されている。
【００９０】
そして、ユーザがリモートコントローラ３２のカーソル上または下移動キー３２ｅ，３２ｆを操作して所望の領域を選択し、数字キー３２ｂを操作することで、その選択した領域に対応する欄に、操作した数字キー３２ｂの数値が優先順位として設定されることになる。このようにして、各領域Ａ乃至Ｄに優先順位が設定されると、制御部３０は、各領域Ａ乃至Ｄに設定された優先順位に基づき、優先度の高い領域に表示された映像に対応する音声を自動的に選択するように制御する。
【００９１】
さらに、「視聴履歴」なる項目が設定された場合には、制御部３０は、各領域Ａ乃至Ｄに対して、そこに表示されている映像に対応する音声が選択された時間が長い順に優先順位を設定する。そして、制御部３０は、各領域Ａ乃至Ｄに設定された優先順位に基づき、優先度の高い領域に表示された映像に対応する音声を自動的に選択するように制御する。
【００９２】
また、先に図１０に示したように、映像表示パネル２８にＱＦＨＤ対応の映像の全画面表示が行なわれている状態で、ＱＦＨＤ対応の映像信号の供給が停止され、現在供給されている１または複数のＦＨＤ対応の映像による画面表示に切り替えられた場合には、ＱＦＨＤ対応の映像信号が供給される前、つまり、ＱＦＨＤ対応の映像の全画面表示が行なわれる前の、ＦＨＤ対応の１または複数の映像が画面表示されていたときに選択していた領域の音声が自動的に選択されるようにした、いわゆる、ラストモードに制御されるようしても良いものである。
【００９３】
なお、上記した実施の形態では、選択制御部３８のＨＤＭＩ通信部４３のみがＱＦＨＤ対応の映像信号を受信する機能を有するものとして説明したが、これに限らず、他のＨＤＭＩ通信部４４乃至４６にもＱＦＨＤ対応の映像信号を受信する機能を持たせても良いことはもちろんである。
【００９４】
ただし、このようにした場合には、ＨＤＭＩ通信部４３乃至４６にＱＦＨＤ対応の映像信号が供給されたとき、いずれのＨＤＭＩ通信部４３乃至４６に供給されたＱＦＨＤ対応の映像を映像表示パネル２８に全画面表示させるかを設定する手段、換言すれば、各ＨＤＭＩ通信部４３乃至４６に供給されたＱＦＨＤ対応の映像を、映像表示パネル２８に全画面表示するために選択する手段を設ける必要がある。
【００９５】
次に、上記した実施の形態のさらに他の変形例について説明する。図１５は、先に図１３で示したＱＦＨＤ対応の映像に対する表示形態を、ユーザが選択可能としたときの制御部３０の処理動作の他の例をまとめたフローチャートを示している。この処理動作は、１または複数のソース機器１２乃至１５からＦＨＤ対応の映像信号が供給されて、映像表示パネル２８の対応する領域に表示されている状態で開始（ステップＳ１５ａ）される。
【００９６】
このような状態で、ステップＳ１５ｂで、ソース機器１２からＱＦＨＤ対応の映像信号が供給されると、制御部３０は、ステップＳ１５ｃで、図１６に一例を示すような表示形態確認画面５８を映像表示パネル２８に表示させる。この表示形態確認画面５８には、「ＱＦＨＤ対応の映像を表示しますか？」という問いと、「表示する」及び「表示しない」なる２つの項目とが表示されており、ユーザがリモートコントローラ３２のカーソル左または右移動キー３２ｇ，３２ｈを操作して所望の項目を選択し、決定キー３２ｉを操作することで、その項目を設定することができる。
【００９７】
ここで、制御部３０は、ステップＳ１５ｄで、表示形態確認画面５８上で「表示する」の項目が設定されたか否かを判別し、設定されたと判断された場合（ＹＥＳ）、ステップＳ１５ｅで、ＨＤＭＩ通信部４３に供給されているＱＦＨＤ対応の映像を、映像表示パネル２８に全画面表示させるように制御して、処理を終了（ステップＳ１５ｊ）する。
【００９８】
また、ステップＳ１５ｄで、表示形態確認画面５８上で「表示しない」の項目が設定されたと判断された場合（ＮＯ）、制御部３０は、ステップＳ１５ｆで、ＨＤＭＩ通信部４３のＥＤＩＤ情報を、ＦＨＤ以下に対応する映像のみを受信する機能を有する旨に設定変更する。これにより、変更後のＥＤＩＤ情報を取得した各ソース機器１２乃至１５からは、ＦＨＤ以下に対応する映像信号のみが供給されるようになる。
【００９９】
その後、制御部３０は、ステップＳ１５ｇで、４画面マルチ表示モードに設定されているか否かを判別し、設定されていると判断された場合（ＹＥＳ）、ステップＳ１５ｈで、現在、ＨＤＭＩ通信部４３乃至４６に供給されている１または複数のＦＨＤ対応の映像を、映像表示パネル２８の分割された表示領域に表示させるように制御して、処理を終了（ステップＳ１５ｊ）する。
【０１００】
また、上記ステップＳ１５ｇで４画面マルチ表示モードに設定されていないと判断された場合（ＮＯ）、制御部３０は、ステップＳ１５ｉで、予め設定された所定の映像表示形態で、１または複数の入力映像を表示させるように制御して、処理を終了（ステップＳ１５ｊ）する。
【０１０１】
このように、ＱＦＨＤ対応の映像が入力されたときに、表示形態確認画面５８を自動的に表示させて、ユーザにＱＦＨＤ対応の映像を表示させて良いか否かを問うことにより、ユーザにとっての取り扱いを便利にすることができる。
【０１０２】
また、ＱＦＨＤ対応の映像を表示しないように設定された場合、ＨＤＭＩ通信部４３のＥＤＩＤ情報を、ＦＨＤ以下に対応する映像のみを受信する機能を有する旨に自動的に設定変更するようにしたので、以後、各ソース機器１２乃至１５からは、ＦＨＤ以下に対応する映像信号のみが供給されるようになり、このような点でも、ユーザにとっての取り扱いを便利にすることができる。なお、ＥＤＩＤ情報の内容を変更するのに代えて、ＨＤＭＩ規格における機器制御信号であるＣＥＣ（consumer electronics control）の内容を変更するようにしても同様の効果を得ることができる。
【０１０３】
さらに、４画面マルチ表示モードに設定されているか否かを判別するようにしたので、
つまり、ユーザが４画面マルチ表示モードに設定または非設定する手段を設けるようにしたので、ＦＨＤ対応の映像については、各領域Ａ乃至Ｄに表示するだけでなく、予め設定された所定の映像表示形態で表示することが可能となり、このような点でも、ユーザにとっての取り扱いを便利にすることができる。
【０１０４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【０１０５】
１１…デジタルテレビジョン放送受信装置、１２乃至１５…ソース機器、１６乃至１９…ＨＤＭＩケーブル、２０…アンテナ、２１…入力端子、２２…チューナ部、２３…復調復号部、２４…信号処理部、２５…合成処理部、２６…音声処理部、２７…映像処理部、２８…映像表示パネル、２９…スピーカ、３０…制御部、３０ａ…ＣＰＵ、３０ｂ…メモリ部、３１…操作部、３２…リモートコントローラ、３３…受光部、３４…ＨＤＤ、３４ａ…ハードディスク、３５…ネットワークインターフェース、３６…ネットワーク回線網、３７…ネットワークサーバ、３８…選択制御部、３９乃至４２…入出力ポート、４３乃至４６…ＨＤＭＩ通信部、４７…音声セレクタ、４８乃至５１…映像信号処理部、５２…出力端子、５３…映像セレクタ、５４…出力端子、５５…表示形態設定画面、５６…優先順位選択画面、５７…優先順位設定画面、５８…表示形態確認画面。
【図１】
2013207769.tif 000003
【図２】
2013207769.tif 000004
【図３】
2013207769.tif 000005
【図４】
2013207769.tif 000006
【図５】
2013207769.tif 000007
【図６】
2013207769.tif 000008
【図７】
2013207769.tif 000009
【図８】
2013207769.tif 000010
【図９】
2013207769.tif 000011
【図１０】
2013207769.tif 000012
【図１１】
2013207769.tif 000013
【図１２】
2013207769.tif 000014
【図１３】
2013207769.tif 000015
【図１４】
2013207769.tif 000016
【図１５】
2013207769.tif 000017
【図１６】
2013207769.tif 000018
【手続補正書】
【提出日】平成25年6月3日(2013.6.3)
【手続補正１】
【補正対象書類名】明細書
【補正対象項目名】０００８
【補正方法】変更
【補正の内容】
【０００８】
実施の形態によれば、映像処理装置は、入力手段と表示制御手段とを備える。入力手段は、第１の解像度を有する映像に対応した複数の第１の映像信号を入力するもので、複数の第１の映像信号の少なくとも１つに代えて、第１の解像度よりも大きい第２の解像度を有する映像に対応した第２の映像信号を入力可能とする。表示制御手段は、入力手段に入力された映像信号の解像度により第１及び第２の映像信号のいずれが入力されたかを判別するもので、入力手段に第１の映像信号のみが入力されている場合、その入力された第１の映像信号を第２の解像度に対応した表示画面を分割した領域に表示させるように制御し、入力手段に第２の映像信号が入力された場合、その入力された第２の映像信号を表示画面の全体に表示させるように制御する。
【手続補正２】
【補正対象書類名】特許請求の範囲
【補正対象項目名】全文
【補正方法】変更
【補正の内容】
【特許請求の範囲】
【請求項１】
第１の解像度を有する映像に対応した複数の第１の映像信号を入力するもので、前記複数の第１の映像信号の少なくとも１つに代えて、前記第１の解像度よりも大きい第２の解像度を有する映像に対応した第２の映像信号を入力可能とする入力手段と、
前記入力手段に入力された映像信号の解像度により第１及び第２の映像信号のいずれが入力されたかを判別するもので、前記入力手段に第１の映像信号のみが入力されている場合、その入力された第１の映像信号を前記第２の解像度に対応した表示画面を分割した領域に表示させるように制御し、前記入力手段に第２の映像信号が入力された場合、その入力された第２の映像信号を前記表示画面の全体に表示させるように制御する表示制御手段とを具備する映像処理装置。
【請求項２】
前記入力手段に第２の映像信号が入力された場合、前記表示制御手段を、その入力された第２の映像信号を前記表示画面の全体に表示させる表示形態とそれ以外の表示形態とに選択的に設定するための設定手段を具備する請求項１記載の映像処理装置。
【請求項３】
前記表示制御手段は、前記設定手段によって前記第２の映像信号を前記表示画面の全体に表示させる表示形態以外の表示形態に設定された場合、前記第２の映像信号をスケールダウンして、前記第２の映像信号に代えられた前記第１の映像信号に対応する、前記表示画面を分割した領域に表示させるように制御することと、前記第２の映像信号に代えられた前記第１の映像信号に対応する、前記表示画面を分割した領域に黒画面を表示させるように制御することとのいずれかを行なう請求項２記載の映像処理装置。
【請求項４】
前記表示制御手段は、前記表示画面を分割した各領域のうち前記第１の映像信号が入力されていない領域に黒画面を表示させるように制御する請求項１記載の映像処理装置。
【請求項５】
前記第１の解像度はＦＨＤであり、前記第２の解像度はＱＦＨＤであり、前記入力手段はＨＤＭＩ規格に準拠した形態で前記第１及び第２の映像信号を入力する請求項１記載の映像処理装置。
【請求項６】
前記入力手段に第２の映像信号が入力された場合、その入力された第２の映像信号に対応する音声を再生する音声再生手段を具備する請求項１記載の映像処理装置。
【請求項７】
前記音声再生手段は、前記入力手段に複数の第１の映像信号が入力されている場合、操作によって選択された第１の映像信号に対応する音声を再生することと、予め設定された優先順位に基づいて第１の映像信号に対応する音声を再生することとのいずれかを行なう請求項６記載の映像処理装置。
【請求項８】
第１の解像度を有する映像に対応した複数の第１の映像信号を入力し、
前記複数の第１の映像信号の少なくとも１つに代えて、前記第１の解像度よりも大きい第２の解像度を有する映像に対応した第２の映像信号を入力し、
入力された映像信号の解像度により第１及び第２の映像信号のいずれが入力されたかを判別し、
前記第１の映像信号のみが入力されている場合、その入力された第１の映像信号を前記第２の解像度に対応した表示画面を分割した領域に表示させるように制御し、
前記第２の映像信号が入力された場合、その入力された第２の映像信号を前記表示画面の全体に表示させるように制御する映像処理方法。